(57)【要約】【課題】差込タイプのバックルの小形化および差込脚部の弾性変形の容易化、かつ脚部の変形を一定範囲内に抑制して円滑な嵌脱操作が行える。【解決手段】樹脂製のバックル本体１は扁平なハウジング１０で一端に差込口１５、両側に開口部１６、内部に被係合部２０を設け、差込体２は一端に係合部３２を備えた可撓性のある一対の差込脚部３１を設け、差込脚部３１の外側に先端から片持状に延びる操作杆３３を連設し、脚部３１の内外側への変形は一定範囲内に抑制できる機構を備え、操作杆３３はバックル本体１へ差し込んだとき、バックル本体１に設けた開口部１６から外側へ突出する操作部３４を設けて、押圧することにより差込脚部３１を変形させ係合部３２と被係合部２０の係合を解除させ、差込体２をバックル本体１から抜脱させる。【選択図】  図１
2004160166.tif 000002
【特許請求の範囲】
【請求項１】
樹脂製のバックル本体１は扁平状のハウジング１０で一端に差込口１５、他端にベルト取付部１７、両側に開口部１６、内部に被係合部２０を設け、樹脂製の差込体２は一端にベルト取付部４０、他端側の先端に係合部３２を備えた可撓性のある一対の差込脚部３１を配設し、差込脚部３１の外側に差込脚部３１の先端側から基端側へ向けて片持状に延びる操作杆３３を連設し、操作杆３３は差込時に開口部１６から突出する操作部３４を設けてなることを特徴とするバックル。
【請求項２】
係合部３２は差込脚部３１の先端における表裏に突出する突起４５から形成し、被係合部２０は本体１の表裏内面に突設し、左右に離間して配した一対の突板２１から形成し、下面板１２に設けた左右の突板２１の先端に直線状に延びる孔部２２を穿設してなる請求項１記載のバックル。
【請求項３】
一対の差込脚部３１の先端間のスペースが狭く基部３０側のスペースが広く、差込脚部３１自体が外側へ反り返った形に形成してなる請求項１記載のバックル。
【請求項４】
差込脚部３１と操作部３４との間に略一定間隔の平行状に伸びるスリット３５を配設してなる請求項１記載のバックル。
【請求項５】
操作部３４の内側縁部４６は差込脚部３１と略同厚で、外側縁部４７に向けて肉厚を漸次厚く形成してなる請求項１記載のバックル。
【請求項６】
操作部３４の内側縁部４６は開口部１６の口縁と平面上略合致する形状に形成してなる請求項１記載のバックル。
【請求項７】
一対の差込脚部３１の基部３０側の外側に操作杆３３の先端へ向けて突出する突片３６を設けてなる請求項１記載のバックル。
【請求項８】
差込脚部３１が外側へ反り返ったとき、操作部３４が突片３６に当接可能に形成してなる請求項７記載のバックル。
【請求項９】
差込体２の基部３０の中央にガイド杆３７を突設し、該ガイド杆３７の表裏面に異形状のガイド部３８，３９をそれぞれ凸設し、バックル本体１の上面板１１と、下面板１２の内面にガイド部３８，３９を択一的にガイド可能なガイド溝２４，２５をそれぞれ凹設してなる請求項１記載のバックル。
【発明の詳細な説明】
【０００１】
【発明の属する技術分野】
この発明は、ハウジング形のバックル本体と差込用の突片から形成された脚部を備えた差込体とによる差込タイプのバックルであって、一般に被服、鞄、ヘルメットあるいはスポーツ用具などに用いられるベルト用のバックルに関するものである。
【０００２】
【従来の技術】
従来のハウジング形のバックル本体と、差込脚部を備えた差込体との差込タイプのバックルにおいて、図１５に示すように、差込体は基板の一端に差込脚部を設け、この差込脚部の先端表裏両面に突起状の係合部を設け、また脚部の両側外側面に側方へ張り出す操作部を設け、一方バックル本体は全体が扁平な筒状匣から形成し、一端に差込口、両側の外側面に円弧状に切欠した開口部を設け、表裏内面の左右両側に突起状の係止部を設け、差込脚部を差し込んだとき係合部と係止部が係合し、操作部の押圧により係合を解除できるバックルが、知られている。（例えば、特許文献１参照。）
【０００３】
また、図１６に示すように、第１固定部材は一端にベルト取付孔を有する基部と、内部に一対の係合突起を有し、この係合突起の先端側に係止孔を設けて角の係止片を嵌入して係止でき、また両側および前面が開放された断面コ字状のカバー体と、第２固定部材は一端にベルト取付孔を有する基部の前面に先端外側面にカバー体の係合突起に、内側から係合できる外側へ向けて膨出した円弧部分を有し、これに続く部分が外側へフック状に突出する係止片が形成された角を備え、この第２固定部材をカバー体の開口に差込み係止片を係止孔に嵌入して係止するとともに、角の中央外側に幅広の平面Ｔ字状の押圧板を設け、この押圧板を押圧することによって、係止孔と係止片の嵌入係止動作を解除できる形態のバックルが知られている。（例えば、特許文献２参照。）
【０００４】
【特許文献１】
実用新案登録第２５３３８６６号公報
（第２、３頁、００１２−００１５、図１−４）
【特許文献２】
特公昭５５−２３６０１号公報（第１、２頁、第１−６図）
【０００５】
【発明が解決しようとする課題】
前項で述べた特許文献１に開示されたバックル本体に差込体を差込むバックルは、差込体に設置した一対の差込脚部が角柱状で先端表裏に係合部を設け、係合部の内側外方にバックル本体の開口部から突出する操作部を設け、操作部と基板との間における脚部が操作部を押圧することによって弾性変形して、先端の係合部と係止部との係合を開放する形態であり、円滑な係脱操作を行うためには、脚部の弾性変形可能な部分を長く形成するか、または肉薄に形成するかである。弾性変形可能な部分を長く形成することは、バックルの大きさを大形にしなければならないので、体裁のよいコンパクトなバックルが得られない。また差込脚部の弾性変形可能な部分を肉薄に形成することは、この肉薄部分から破損するおそれがあるなど問題点がある。
【０００６】
さらに特許文献２に開示された、第１固定部材のカバー体に第２固定部材の角を差込むバックルは、第２固定部材の角に設けた平面Ｔ字状の押圧板を押圧することによって、カバー体に設けた係合突起の係止孔から係止片をスムーズに抜脱させるためには、角の基部から押圧板を設置した区間の角の弾性変形を容易にする必要がある。従ってこの区間を短縮することができないため、長尺状に形成して弾性変形を容易にさせるからバックルが大形になる。またこのカバー体は側面が開放され断面コ字状であるため、開口における口縁表裏板の両側の隅角が露呈しているので、使用の際に、他物に引っ掛かり円滑な操作ができない。また差込操作の際に、表裏板に捩れ作用が働いた場合には、破損するおそれがあるなど問題点がある。
【０００７】
この発明は、上述の問題点を考慮して発明されたものであり、この発明のうち請求項１記載の発明は、バックル本体へ差込体を差込む差込タイプのバックルの大きさを小形化して体裁のよいバックルに仕上げ、小形でも差込体の差込脚部の弾性変形が容易にでき、差込体の嵌脱操作が容易に行える差込タイプのバックルを提供することが主たる目的である。
【０００８】
請求項２記載の発明は、請求項１記載の発明の目的に加え、バックル本体に対し差込体の差込脚部をスムーズにガイドして差込み、バックル本体に差込体を差し込んだ状態にあっても、バックル本体内に入り込んだゴミや水などの排出を速やかに行える差込タイプのバックルを提供することが目的である。
【０００９】
請求項３記載の発明は、請求項１記載の発明の目的に加え、差込体の一対の差込脚部が容易かつ的確に内方への弾性変形を簡単な構造で行わせることができる差込タイプのバックルを提供することが目的である。
【００１０】
請求項４記載の発明は、請求項１記載の発明の目的に加え、差込脚部が弾性変形するための有効長さを確保でき、かつ体裁のよい優美な差込体を備えた差込タイプのバックルを提供することが目的である。
【００１１】
請求項５記載の発明は、請求項１記載の発明の目的に加え、操作杆の操作部と差込脚部との間に段差をなくし、操作部が他物に引っかかり難くして、破損に至ることを未然に防ぐ差込タイプのバックルを提供することが目的である。
【００１２】
請求項６記載の発明は、請求項１記載の発明の目的に加え、差込体の差込み時にバックル本体の開口部と差込脚部の操作部との間に隙間がなく、他物が挟まり押圧操作また抜脱操作を妨害しない差込タイプのバックルを提供することが目的である。
【００１３】
請求項７記載の発明は、請求項１記載の発明の目的に加え、操作杆の先端と差込脚部の基部との間の間隙を狭くし、他物が入り込むのを防いだ差込タイプのバックルを提供することが目的である。
【００１４】
請求項８記載の発明は、請求項７記載の発明の目的に加え、一対の差込脚部は容易にかつ変形してバックル本体と係合することができ、しかも差込脚部に外側へ向けて力が加わったとき、差込脚部が過度に反り返って変形を来たすことのないように、簡単な構造で差込脚部の変形を抑制して補強し、差込脚部の破損を防止できる差込タイプのバックルを提供することが目的である。
【００１５】
請求項９記載の発明は、請求項１記載の発明の目的に加え、バックル本体と差込体との表裏を間違えて差し込むのを防ぎ、円滑な差込み操作ができる差込タイプのバックルを提供することが目的である。
【００１６】
【課題を解決するための手段】
前記の目的を達成するため、この発明のうち請求項１記載の発明は、差込タイプのバックルにおいて、樹脂製のバックル本体１は扁平状のハウジング１０で一端に差込口１５、他端にベルト取付部１７、両側に開口部１６、内部に被係合部２０をそれぞれ設け、樹脂製の差込体２は一端にベルト取付部４０、他端側の先端に被係合部２０と係合できる係合部３２を備えた可撓性のある一対の差込脚部３１を配設し、差込脚部３１の外側に差込脚部３１の先端側から基端側へ向けて片持状に延びる操作杆３３を連設し、この操作杆３３にはバックル本体１へ差込体２を差し込んだとき、バックル本体１の開口部１６から外方へ突出する形の操作部３４を設けた差込タイプのバックルを主な構成とするものである。
【００１７】
請求項２記載の発明は、請求項１記載の発明の構成に加え、差込体２に設けた係合部３２は差込脚部３１の先端において表裏へ向けて突出する突起４５から形成し、バックル本体１に設ける被係合部２０はバックル本体１の表裏内面に突設し、ベルト取付部１７側のスペースが狭く、差込口１５側のスペースが拡大するようにハの字状に離間させて配した左右一対の突板２１から形成し、下面板１２に設けた左右の突板２１の先端に直線状に延びる孔部２２を設けたバックルである。
【００１８】
請求項３記載の発明は、請求項１記載の発明の構成に加え、差込体２に設けた一対の差込脚部３１の先端間のスペースが狭く、基部３０側におけるスペースが広く、差込脚部３１自体が差込体２の外側へ反り返った形に形成したバックルである。
【００１９】
請求項４記載の発明は、請求項１記載の発明の構成に加え、差込体２における差込脚部３１と、操作杆３３の操作部３４との間に略一定間隔の平行状に伸びるスリット３５を配設したバックルである。
【００２０】
請求項５記載の発明は、請求項１記載の発明の構成に加え、操作杆３３に設けた操作部３４の内側縁部４６は、差込脚部３１の対向縁と略同厚で外側縁部４７に向けて肉厚を漸次厚く形成したバックルである。
【００２１】
請求項６記載の発明は、請求項１記載の発明の構成に加え、操作杆３３に設けた操作部３４の内側縁部４６は、バックル本体１の開口部１６の口縁と平面上略合致する形状に形成したバックルである。
【００２２】
請求項７記載の発明は、請求項１記載の発明の構成に加え、差込体２における一対の差込脚部３１の基部３０側の外側に、操作杆３３の先端へ向けて突出する突片３６を設けたバックルである。
【００２３】
請求項８記載の発明は、請求項７記載の発明の構成に加え、差込体２における一対の差込脚部３１が外側へ過度に反り返ったとき、差込脚部３１に設けた操作部３４が差込脚部３１の基部３０の外側に設けた突片３６に当接して差込脚部３１が外側へ反り返るのを抑制できる形態に形成したバックルである。
【００２４】
請求項９記載の発明は、請求項１記載の発明の構成に加え、差込体２における基部３０の中央に突出するガイド杆３７を設け、このガイド杆３７の表裏面に互いに異なる形状で凸状に突出するガイド部３８，３９を設け、バックル本体１の上面板１１と下面板１２との内面にガイド部３８，３９を択一的にガイドできるガイド溝２４，２５を凹設したバックルである。
【００２５】
【発明の実施の形態】
以下、この発明のバックルの実施の形態について、図面を参照しながら具体的に説明する。
【００２６】
この発明のバックルは、図１に示すようにソケットと称するバックル本体１と、このバックル本体１へ差込むことができるプラグと称する差込体２とから形成された差込タイプのバックルであり、バックル本体１と差込体２とはともに、熱可塑性樹脂たとえばポリアミド、ポリアセタール、ポリプロピレン、ポリブチレンテレフタレートを用いて射出成形手段によって成形し形成する。
【００２７】
バックル本体１は、図１〜５に示すように上面板１１、下面板１２、左右の側壁１３，１３、前壁１４で包囲する形でハウジング１０を形成し、このハウジング１０の一端に差込体２が差込むことができる差込口１５を設ける。ハウジング１０の両側には、ハウジング１０の内方へ向けて側壁１３、上面板１１、下面板１２の一部を切欠して円弧状の開口部１６を設け、ハウジング１０の他端すなわち前壁１４の前方にはベルトｂを挿通することができるベルト挿通孔１８を設けてベルト取付部１７を形成してベルトｂの一端を取り付ける。
【００２８】
ハウジング１０の下面板１２にはベルト挿通孔１８の近傍にハウジング１０の横方向へ直線状に延びる孔部２２を設け、この孔部２２と両側の開口部１６との間に、上面板１１および下面板１２の内面からハの字状に突出する左右一対の突板２１を設ける。この左右の突板２１はハウジング１０の横方向に離れて配置され、その空隙に差込体２の差込脚部３１が嵌入し、差込脚部３１に設けた係合部３２を係合するため、突板２１の外側縁すなわち孔部２２側が係合部３２と係合する被係合部２０を形成する。突板２１の内側縁すなわち差込口１５側はハウジング１０の内方へ向けて膨出する円弧状のガイド面２３に形成し、差込脚部３１をハウジング１０内へ差し込んだ際、差込脚部３１の先端に設けた係合部３２をスムーズにガイドし、差込脚部３１を内方へ撓み変形させる。
【００２９】
ハウジング１０の上面板１１における内面の中央縦方向に差込体２のガイド杆３７の上面に設けた幅広状のガイド部３８をガイドする幅広状の凹状のガイド溝２４を設け、下面板１２における内面の中央縦方向に差込体２のガイド杆３７の下面に設けた幅狭状のガイド部３９をガイドする幅狭状の凹状のガイド溝２５を設ける。このガイド溝２５の両側に沿ってガイド突条４８が突設され、ガイド部３９の両側面をガイドする。またハウジング１０の差込口１５の両側に設けた側壁１３は、差込体２の一対の差込脚部３１の基部３０の外側に設けた突片３６をがたつかないように安定した保持ができる形態に形成する。
【００３０】
差込体２は、図１、６〜１１に示すように、差込体２の中央横方向に配された基部３０から一端側にベルト取付部４０を設け、他端側に一対の差込脚部３１を配してバックル本体１のハウジング１０に差込む。差込脚部３１は基部３０の両側から先端へ向けて差込脚部３１自体が外側へ反り返った形で突出し、すなわち一対の差込脚部３１間の先端のスペースが狭く基部３０側におけるスペースが広くなるように突設し、差込脚部３１が内側へ容易に撓むことができるように形成する。
【００３１】
一対の差込脚部３１の先端には、表裏へ突出する突起４５を設け、この突起４５がバックル本体１のハウジング１０内に設けた被係合部２０に係合できる係合部３２として役立つものである。差込脚部３１の先端側から基端側すなわち差込体２の基部３０に向けて片持状に逆行する形で操作杆３３を連設し、この操作杆３３の先端に差込体２をバックル本体１のハウジングに差し込んだとき、ハウジング１０の開口部１６から外方へ突出する操作部３４を設ける。
【００３２】
差込脚部３１の先端すなわち係合部３２から片持状に操作杆３３を設置することによって、差込脚部３１の弾性変形ができる範囲を長くすることができる。しかし必要以上に長く設定する必要はなく、必要最小限にすればよいからバックルを従来品に比して小型化することができるところに特徴がある。
【００３３】
操作部３４は差込脚部３１を容易に弾性変形させるため、差込脚部３１と操作部３４との間に略一定の間隔の平行状に延びるスリット３５を配設する。操作部３４の内側縁部４６はハウジング１０の開口部１６の口縁と平面的にみて略合致させるが、先端部分はハウジング１０内に存在させ、開口部１６の口縁と操作部３４の内側縁部４６との間に隙間が生じないように形成する。操作部３４は図１０に示すように開口部１６の口厚よりも薄く形成し、操作部３４を押圧したときに差込脚部３１を撓み変形させて自由にハウジング１０内へ挿入することができ、内面に設けた突片２１による被係合部２０と係合部３２との係合を解除させることができる。また操作部３４における内側縁部４６は差込脚部３１と同厚であり、外側縁部４７に向けて傾斜させ、漸次厚くなるように形成し、操作部３４の外側表面、すなわち操作部３４を押圧する際に指と接触する面を広く形成する。
【００３４】
一対の差込脚部３１の基部３０両側に操作部３４の先端へ向けて外方へ突出する板状の突片３６を設け、この突片３６は基部３０と操作部３４の先端との間の間隙を狭め、差込脚部３１と操作杆３３との間のスリット３５に他物が入り込むことを阻止する。また基部３０の中央部分には前方へ突出するガイド杆３７を設け、このガイド杆３７の表裏面に異なる断面形状のガイド部３８，３９をそれぞれ設ける。例えばガイド杆３７の表面に船底形のガイド部３８を突設し、裏面には直線状に延びる凸条形のガイド部３９を突設し、差込体２をハウジング１０に差し込んだとき、ハウジング１０の上面板１１および下面板１２の内面に設けられた幅広状のガイド溝２４および幅狭状のガイド溝２５にそれぞれ挿入し差込体２の揺動を防ぎ安定した状態を保持する。なおガイド杆３７およびガイド部３８、３９の形状は適宜変更できるものである。
【００３５】
差込体２に設けた一対の差込脚部３１は、操作部３４を内側へ押圧したとき、過度に撓むと差込脚部３１間に配設したガイド杆３７の側面に当接し、差込脚部３１が変形するのを抑止して差込脚部３１が破損するのを防止する。また差込体２とバックル本体１とが離脱している場合、差込体２の差込脚部３１の先端に衣服またはバッグなどの障害物に引っ掛かり、あるいは人為的な悪戯により、差込脚部３１を外側へ過度に反り返らせて破損するのを防止するため、図１１に示すように過度に差込脚部３１が反り返ると、操作部３４の先端が基部３０に設けた突片３６に当接し、それ以上の反り返り変形を阻止するとともに差込脚部３１を補強する働きをする。従ってこのバックルは内側または外側へいずれの方向へ向けて外力が加わってもガイド杆３７または突片３６によって、過度の変形を阻止して差込脚部３１が破損するのを保護する。
【００３６】
従って差込脚部３１の肉厚を薄く形成して簡単に弾性変形ができるように形成し、操作部３４の押圧操作を簡易にできる形態に形成することができる。
【００３７】
差込体２は、基部３０の他端側にベルト取付部４０を設置する。ベルト取付部４０は基部３０の両側から突設した側枠４１に対し、図９に示すように最外端にベルトを係止できる係止杆４３を設け、中央にベルトを引っ掛けることができる引掛杆４３を横架し、ベルトの他端部の長さ調節ができる形にベルトを取り付ける。
【００３８】
このバックルの使用態様は、図１２に示すようにバックル本体１のベルト取付部１７にベルトｂの一端を取り付け、ベルトｂの他端を差込体２のベルト取付部４０に長さ調節ができるように取り付け、差込体２の差込脚部３１をバックル本体１のハウジング１０の差込口１５から差込み、差込脚部３１の先端に設けた係合部３２がハウジング１０内に設置した突板２１の円弧状のガイド面２３に沿ってガイドされ、その結果差込脚部３１が撓み変形して係合部３２が被係合部２０に係合してバックル本体１と差込体２とが連結される。
【００３９】
バックル本体１と差込体２との連結を開放分離するには、バックル本体１に差込まれている差込体２の操作部３４を押圧することによって、係合している係合部３２を被係合部２０から離脱させれば差込体２はハウジング１０から容易に抜脱させることができる。
【００４０】
次に図１３，１４に示す差込体２の変形例について説明すると、基部３０の両側から突設した一対の差込脚部３１は、先端に設けた係合部３２の近傍外側すなわち先端側から基部３０に向けて片持状に操作杆３３を連設し、操作杆３３の先端に操作部３４を設け、操作部３４は内側縁部４６から外側縁部４７に向けて漸次肉厚が厚くなるように形成する。そして基部３０の中央から前面へ突出するガイド杆３７の上面に船底形のガイド部３８を設け、ガイド杆３７の下面にはガイド杆３７よりも前面へ突出する形の直線状に延びる凸条形のガイド部３９を設けた以外の構成は前例と同一構成であり、使用態様も同一である。
【００４１】
【発明の効果】
この発明のバックルは、以上説明したとおりの構成であり、この構成によって下記の効果を奏するものである。
【００４２】
この発明のうち請求項１記載の発明は、樹脂製のバックル本体は扁平状のハウジングで一端に差込口、他端にベルト取付部、両側に開口部、内部に被係合部を設け、樹脂製の差込体は一端にベルト取付部、他端側の先端に係合部を備えた可撓性のある一対の差込脚部を配設し、各差込脚部の外側に差込脚部の先端側から基端側へ向けて片持状に延びる操作杆を連設し、操作杆は差込時に開口部から突出する操作部を設けた構成である。
【００４３】
特に差込脚部の両側に先端側から片持状に逆行する操作杆を連設し、操作杆は差込時に開口部から突出する操作部を設けることによって、弾性変形できる差込脚部の有効長さを長くすることができる。この有効長さを最小限に設定することにより、差込体を従来製品のように大形化する必要がなくバックル本体を小形化することができ、また差込脚部が破損するおそれもなく、差込体の嵌脱操作が円滑かつ容易に行える効果がある。
【００４４】
請求項２記載の発明は、請求項１記載の発明の効果に加え、係合部は差込脚部の先端における表裏に突出する突起から形成し、被係合部は本体の表裏内面に突設し、左右に離間して配した一対の突板から形成し、下面板に設けた左右の突板の先端に直線状に延びる孔部を穿設したことによって、差込体の差込脚部に設けた係合部を効率よくスムーズにバックル本体の被係合部へ誘導でき、またバックル本体に差込体を差し込んだ状態であっても、バックル本体内に入り込んだゴミや水などの排出を速やかに行える効果がある。
【００４５】
請求項３記載の発明は、請求項１記載の発明の効果に加え、一対の差込脚部の先端間のスペースが狭く基部側のスペースが広く、差込脚部自体が外側へ反り返った形に形成したことによって、差込体の差込脚部を内方すなわち一対の差込脚部が接近する方向へ的確かつ円滑に弾性変形させることができ、差込体の嵌脱操作が容易に行える効果がある。
【００４６】
請求項４記載の発明は、請求項１記載の発明の効果に加え、差込脚部と操作部との間に略一定間隔の平行状に伸びるスリットを配設したことによって、差込脚部の有効長さを確保しながらかつ優れた美観を有する効果がある。
【００４７】
請求項５記載の発明は、請求項１記載の発明の効果に加え、操作部の内側縁部は差込脚部と略同厚で、外側縁部に向けて肉厚を漸次厚く形成したことによって、差込脚部と操作部の内縁との間に段差がないので、差込み操作の際手触りがよくかつ他物が引っ掛かり難い効果がある。
【００４８】
請求項６記載の発明は、請求項１記載の発明の効果に加え、操作部の内側縁部は開口部の口縁と平面上略合致する形状に形成したことによって、操作部の内側縁部と開口部の口縁との間に隙間が生じず、内側縁部と口縁との間に他物が挟まり押圧操作また抜脱操作を妨害することがない効果がある。
【００４９】
請求項７記載の発明は、請求項１記載の発明の効果に加え、一対の差込脚部の基部側の外側に操作杆の先端へ向けて突出する突片を設けたことによって、操作杆の先端と差込脚部の基部との間に形成される間隙を狭くすることができ、間隙から他物が入り込んで押圧操作また抜脱操作を妨害することがない効果がある。
【００５０】
請求項８記載の発明は、請求項７記載の発明の効果に加え、差込脚部が外側へ反り返ったとき、操作部が突片に当接可能に形成したことによって、差込脚部の外側への過度の反り返りを阻止するとともに、差込脚部を補強できるから、差込脚部の肉厚を薄く形成して弾性変形が容易にでき、差込体のバックル本体への嵌脱操作および操作部の押圧操作が簡易に行える効果がある。
【００５１】
請求項９記載の発明は、請求項１記載の発明の効果に加え、差込体の基部の中央にガイド杆を突設し、ガイド杆の表裏面に異形状のガイド部をそれぞれ凸設し、バックル本体の上面板と、下面板の内面にガイド部を択一的にガイド可能なガイド溝をそれぞれ凹設したことによって、バックル本体と差込体との表裏を間違えて差し込むことを防ぎ、かつバックル本体への差込体の挿入操作を円滑に行える効果があるなど、この発明が奏する効果はきわめて顕著である。
【図面の簡単な説明】
【図１】バックル本体と差込体との離脱状態を示す斜視図である。
【図２】バックル本体の正面図である。
【図３】同上バックル本体の図２におけるＡ−Ａ断面図である。
【図４】同上バックル本体の図３におけるＢ−Ｂ断面図である。
【図５】同上バックル本体の図３におけるＣ−Ｃ断面図である。
【図６】差込体の正面図である。
【図７】同上差込体の背面図である。
【図８】同上差込体の側面図である。
【図９】同上差込体の図６におけるＤ−Ｄ断面図である。
【図１０】バックル本体と差込体とが係合した状態の図１２におけるＥ−Ｅ断面図である。
【図１１】差込体の差込脚部が外側へ反り返った状態を示す作用図である。
【図１２】バックル本体と差込体との係合時における状態を示す一部切欠した断面図である。
【図１３】差込体の変形例を示す正面図である。
【図１４】同上差込体の図１３におけるＦ−Ｆ断面図である。
【図１５】公知の差込タイプのバックルの斜視図である。
【図１６】他の公知の差込タイプのバックルの斜視図である。
【符号の説明】
１            バックル本体
２            差込体
１０            ハウジング
１１            上面板
１２            下面板
１３            側壁
１５            差込口
１６            開口部
１７            ベルト取付部（バックル本体）
２０            被係合部
２１            突板
２４、２５      ガイド溝
３０            基部
３１            差込脚部
３２            係合部
３３            操作杆
３４            操作部
３５            スリット
３６            突片
３７            ガイド杆
３８、３９      ガイド部
４０            ベルト取付部（差込体）
４５            突起
４６            内側縁部
４７            外側縁部
ｂ              ベルト
【図１】
2004160166.tif 000003
【図２】
2004160166.tif 000004
【図３】
2004160166.tif 000005
【図４】
2004160166.tif 000006
【図５】
2004160166.tif 000007
【図６】
2004160166.tif 000008
【図７】
2004160166.tif 000009
【図８】
2004160166.tif 000010
【図９】
2004160166.tif 000011
【図１０】
2004160166.tif 000012
【図１１】
2004160166.tif 000013
【図１２】
2004160166.tif 000014
【図１３】
2004160166.tif 000015
【図１４】
2004160166.tif 000016
【図１５】
2004160166.tif 000017
【図１６】
2004160166.tif 000018